(57)【要約】      （修正有）【課題】縁かがりミシンの上ルーパを軽量にして美麗な縫目を形成するとともに、上ルーパの製造を容易に行なうことができるミシンのルーパ装置を提供する。【解決手段】ルーパ糸入口３４からルーパ剣先糸出口３５までルーパ糸通しのためのパイプ２９が組み込まれた上ルーパ７と、上ルーパをルーパ駆動部に位置調節自在に連結するとともにパイプを保持するためのルーパ取付腕３０とを備え、ルーパ取付腕にはルーパ取付腕とは別体でパイプを保持するためのパイプ保持プレート３７を設け、パイプ保持プレートはルーパ取付腕に着脱自在に取着されるものである。【選択図】図３
0003165785.tif 000002
【実用新案登録請求の範囲】
【請求項１】
ルーパ糸入口からルーパ剣先糸出口までルーパ糸通しのためのパイプが組み込まれた上ルーパと、
前記上ルーパをルーパ駆動部に位置調節自在に連結するとともに前記パイプを保持するためのルーパ取付腕とを備え、
前記ルーパ取付腕には前記ルーパ取付腕とは別体で前記パイプを保持するためのパイプ保持プレートを設け、
前記パイプ保持プレートは前記ルーパ取付腕に着脱自在に取着されることを特徴とするミシンのルーパ装置。
【考案の詳細な説明】
【技術分野】
【０００１】
本考案はミシンのルーパ装置に係わり、特に縁かがりミシンの上ルーパを軽量にして美麗な縫目を形成するとともに、上ルーパの製造を容易に行なうためのミシンのルーパ装置の構造に関する。
【背景技術】
【０００２】
従来から、縁かがりミシンにおいて、ルーパ糸を差し入れる糸導入部から上ルーパの剣先のルーパ糸案内出口までを連通するパイプ（中空のルーパ糸案内）で連結し、パイプに供給される加圧気体の流れを利用してルーパ糸を送る気体搬送糸通し装置が知られている。これにより、複雑な糸掛けを不要とし、操作性よく糸通しを行なうことができ、このため糸通しを間違えたり、途中で糸がはみ出し、挿通されたルーパ糸が他の糸と絡んだりすることがなく、極めて簡単な操作で一気に糸通しをすることができる（特許文献１−２）。
【０００３】
図６に示すように、このようなルーパ糸の糸通しを行なう上ルーパ５０の上ルーパ駆動部５１としては、所謂「ピボット・スライド」方式が採用されている。ミシンモータＭからタイミングベルトＭＢを介してはずみ車５２とともに回転駆動される駆動軸５３には、上ルーパ駆動傾斜カム５４が固定され、上ルーパ駆動傾斜カム５４には上ルーパ駆動二又５５に取り付けられたカムフォロアであるローラ５６が係合されている。上ルーパ駆動二又５５は上ルーパ駆動軸５７にピン５８により枢着されている。上ルーパ駆動軸５７には上ルーパ駆動腕５８aの一端が固定され、上ルーパ駆動腕５８aの他端には上ルーパ取付軸５９が枢着されている。上ルーパ取付軸５９はフレームに回動可能に装着されたピボット６０に摺動可能に軸支されている。上ルーパ取付軸５９の上端には上ルーパ５０が固定されている。
【０００４】
図７（ａ）-(ｂ)に示すように、上ルーパ５０は、パイプ６１を保持するためのルーパ基部６２を備え、ルーパ基部６２から突出しているピン６３が上ルーパ駆動部５１の上ルーパ取付軸５９にネジ５９aで位置調節自在に連結されている。
【０００５】
上ルーパ５０は、ルーパ糸入口６４からルーパ剣先糸出口６５までルーパ糸通しのためのパイプ６１がルーパ溝６６に組み込まれ、このパイプ６１はルーパ基部６２によって保持されている。
【０００６】
このようにルーパ基部６２はパイプ６１の保持及び上ルーパ駆動部５１への連結という２つの機能を果たすため上ルーパ５０と一体的に形成された金属塊基体６７で構成されている。
【０００７】
更に、上ルーパ５０と一体的に形成された金属塊基体６７には係合爪とバネが揺動自在に枢支されて別の縫目（２本糸縁かがり縫）を縫製する機能も合せ持っている。
【０００８】
このように構成された上ルーパ５０は上ルーパ駆動部５１によって針に対して楕円運動を行なう。
【先行技術文献】
【特許文献】
【０００９】
【特許文献１】特許第２８６５４７０号公報（＝米国特許５３２７８４１号公報）
【特許文献２】特許第３３５５２１４号公報
【考案の概要】
【考案が解決しようとする課題】
【００１０】
このような上ルーパ構造では、上ルーパ自体の重量が重くなり、このためルーパの高速揺動運動に支障をもたらすことから理想的で美麗な縫目を形成するには不十分となっている。
【００１１】
また、パイプの保持及びルーパ駆動部への連結という２つの機能を果たすとともにルーパ溝が形成されるルーパ基部をもつ上ルーパ構造の製造にあたっては、上ルーパの射出焼結、曲がり調整、加工、焼入れ、仕上げ、研磨、寸法調整等の多くの工程を要する。
【００１２】
したがって、上ルーパの製造が極めて煩瑣な作業を要するので生産性が低い状況となっている。
【００１３】
本考案は、これらの難点を解決するためになされたもので、縁かがりミシンの上ルーパを軽量にして上ルーパの楕円運動における慣性モーメントを低減することにより上ルーパ駆動部にかかる負荷を低減して上ルーパ駆動部の耐久性を向上させ、かつ美麗な縫目を形成するとともに、上ルーパの製造を容易に行なって製造コストを低減するためのミシンのルーパ装置を提供することを目的とする。
【課題を解決するための手段】
【００１４】
このような目的を達成するため、本考案のミシンのルーパ装置は、ルーパ糸入口からルーパ剣先糸出口までルーパ糸通しのためのパイプが組み込まれた上ルーパと、上ルーパをルーパ駆動部に位置調節自在に連結するとともにパイプを保持するためのルーパ取付腕とを備え、ルーパ取付腕にはルーパ取付腕とは別体でパイプを保持するためのパイプ保持プレートを設け、パイプ保持プレートはルーパ取付腕に着脱自在に取着されるものである。
【考案の効果】
【００１５】
本考案のミシンのルーパ装置によれば、縁かがりミシンの上ルーパを軽量にして美麗な縫目を形成するとともに、上ルーパの製造を容易に行なうことができる。
【図面の簡単な説明】
【００１６】
【図１】本考案によるルーパ装置を適用した２本針４本糸縁かがりオーバーロックミシンを示す部分斜視図である。
【図２】本考案によるルーパ装置を適用したルーパ駆動部を示す斜視図である。
【図３】本考案によるルーパ装置を示す斜視図で、（ａ）はミシンの右前方向から見た状態、（ｂ）はミシンの左後方向から見た状態を示す。
【図４】本考案によるルーパ装置を示す斜視図で、（ａ）はミシンの右前方向から見た状態、（ｂ）はミシンの左後方向から見た状態を示す。
【図５】本考案によるルーパ装置を示す分解斜視図である。
【図６】従来のルーパ装置におけるルーパ駆動部を示す斜視図である。
【図７】従来のルーパ装置を示す斜視図で、（ａ）はミシンの右前方向から見た状態、（ｂ）はミシンの左後方向から見た状態を示す。
【考案を実施するための形態】
【００１７】
以下、本考案のルーパ装置を２本針４本糸縁かがりオーバーロックミシンに適用した好ましい実施の形態例について図面を参照して詳述する。
【００１８】
図１に示すように、オーバーロックミシン１は、ベッドとアームを形成するフレーム２で構成されている。
【００１９】
ミシンモータＭはフレーム２に装着され、駆動軸５はフレーム２に沿って水平方向に延びている。駆動軸５は、ミシンモータＭによってタイミングベルトＭＢにより回転駆動される。
【００２０】
オーバーロックミシン１は、駆動軸５と同期して上下運動する針留１１に固定され針板３を貫通して上下運動する針１１ａ、１１ｂ、これらの針１１ａ、１１ｂを駆動する針駆動機構１２、針板３上で布を押える布押え機構１９、針板３の下側で針１１ａ、１１ｂの軌跡と交叉するように円弧状の軌跡を描いて往復運動する下ルーパ８、針板３の側方で下ルーパ８の軌跡と交叉するとともに針板３の上側で針１１ａ、１１ｂの軌跡と交叉するように楕円状の軌跡を描いて往復運動する上ルーパ７、布を１目毎に歩進させる布送り機構４で縫目形成装置２０を形成している。
【００２１】
上ルーパ７、下ルーパ８はそれぞれルーパ駆動機構１０によって駆動される。
【００２２】
縫目形成装置２０の針駆動機構１２、布送り機構４及びルーパ駆動機構１０は駆動軸５によって駆動される。針駆動機構１２、布送り機構４の具体的構造及び動作は公知（前記特許文献１、特許文献２）であるので、その詳細は説明を省略する。
【００２３】
ルーパ駆動機構１０は上ルーパ７の上ルーパ駆動部１４及び下ルーパ８の下ルーパ駆動部１６から構成されている。
【００２４】
図２に示すように、上ルーパ７の上ルーパ駆動部１４としては、所謂「ピボット・スライド」方式が採用されている。ミシンモータＭからタイミングベルトＭＢを介してはずみ車６とともに回転駆動される駆動軸５には、上ルーパ駆動傾斜カム２１が固定され、上ルーパ駆動傾斜カム２１には上ルーパ駆動二又２２に取り付けられたカムフォロアであるローラ２３が係合されている。上ルーパ駆動二又２２は上ルーパ駆動軸２４にピン２５により枢着されている。上ルーパ駆動軸２４には上ルーパ駆動腕２６の一端が固定され、上ルーパ駆動腕２６の他端には上ルーパ取付軸２７が枢着されている。上ルーパ取付軸２７はフレーム２に回動可能に装着されたピボット２８に摺動可能に軸支されている。上ルーパ取付軸２７の上端には上ルーパ７が固定されている。
【００２５】
図３（ａ）-(ｂ)、図４（ａ）-(ｂ)、図５に示すように、上ルーパ７は、ルーパ糸通しを行なうパイプ（中空のルーパ糸案内）２９を保持するためのルーパ取付腕３０を備えている。
【００２６】
ルーパ取付腕３０から突出しているピン３１は上ルーパ駆動部１４の上ルーパ取付軸２７の取付穴２７ａに嵌入して止ネジ穴２７ｂに止ネジ２７ｃで螺着することにより位置調節自在に連結されている。
【００２７】
このように構成された上ルーパ７は、駆動軸５の回転に伴って、上ルーパ駆動傾斜カム２１、上ルーパ駆動二又２２、ローラ２３、上ルーパ駆動軸２４、上ルーパ駆動腕２６、上ルーパ取付軸２７からなる上ルーパ駆動部１４によって駆動され、上ルーパ駆動腕２６に枢着された上ルーパ取付軸２７がピボット２８の枢動穴を摺動することによりピボット２８を運動基点として上ルーパ７が針１１ａ、１１ｂに対して楕円運動を行なう。
【００２８】
本考案のルーパ装置は、ルーパ糸入口３４からルーパ剣先糸出口３５までルーパ糸通しのためのパイプ２９がルーパ溝３６に組み込まれた上ルーパ７と、上ルーパ７を上ルーパ駆動部１４に位置調節自在に連結するとともにパイプ２９を保持するためのルーパ取付腕３０とを備えている。なお、Ｐはルーパ剣先を示す。
【００２９】
ルーパ取付腕３０にはルーパ取付腕３０とは別体でパイプ２９をパイプ保持穴４０で保持するためのパイプ保持プレート３７が設けられている。
【００３０】
また、パイプ保持プレート３７には係合爪３８がバネ３９で揺動自在に枢支されている。この目的で係合爪３８はその一端をピン４１が係合爪枢支穴４２に枢着され、バネ３９はその一端が係合爪３８のバネ留め４３に、他端がパイプ保持プレート３７のバネ留め４４に掛けられて係合爪３８を揺動自在に弾撥している。
【００３１】
係合爪３８の使用にあたって、上ルーパ７に上ルーパ糸を糸通しすることなく下ルーパ糸を掬って上昇し、針に絡げることによって別の縫目（２本糸縁かがり縫）を縫製するときには、係合爪３８の先端カギ４５を上ルーパ７のルーパ剣先糸出口３５に嵌合すればよい（特開昭５４−１４３３７０号公報、特開２００９−２９７１８６号公報）。
【００３２】
パイプ保持プレート３７はルーパ取付腕３０の止ネジ穴３２に止ネジ３３で螺着することにより着脱自在に取着されている。
【００３３】
なお、図２に示すように、下ルーパ駆動部１６の構成において、駆動軸５には下ルーパ駆動傾斜カム４３が固定され、下ルーパ駆動傾斜カム４３には下ルーパ駆動二又４４に取り付けられたカムフォロアであるローラ４５が係合されている。下ルーパ駆動二又４４は下ルーパ駆動軸４６にピン４７により枢着されている。下ルーパ駆動軸４６には下ルーパ８が固定されている。
【００３４】
このように構成された下ルーパ８は、駆動軸５の回転に伴って、下ルーパ駆動傾斜カム４３、下ルーパ駆動二又４４、ローラ４５、下ルーパ駆動軸４６からなる下ルーパ駆動部１６によって駆動され、下ルーパ８は針１１ａ、１１ｂに対して上ルーパ７に同期して揺動運動を行なう。
【００３５】
また、図１−図２において、４２は駆動軸５に設けられた針駆動偏心カム４１から針駆動機構１２を駆動するための針駆動ロッドである。
【００３６】
なお、ルーパ糸入口３４からルーパ剣先糸出口３５までルーパ糸通しのためのパイプ２９にルーパ糸を糸通しするルーパ糸通し機構の具体的構造及び動作は公知（特許文献１、特許文献２）であるので、その詳細は説明を省略する。
【００３７】
このように構成されたルーパ装置において、針１１ａ、１１ｂ、上ルーパ７、下ルーパ８への糸通しが完了した後、駆動軸５の回転に伴って、針駆動機構１２、布送り機構４及びルーパ駆動機構１０の上ルーパ駆動部１４及び下ルーパ駆動部１６がそれぞれ駆動され、縫目形成装置２０による縫目形成にあたっては、針１１ａ、１１ｂが上死点から降下し最下点より上昇するとき針糸を下ルーパ８の剣先で掬い、針糸は下ルーパ８に掛け止られたまま、下ルーパ８が前進しながら上ルーパ７が最下点より上昇して下ルーパ８の下ルーパ糸を掬い、下ルーパ糸が掛け留められた上ルーパ７が上死点に到達した後に後退降下するとき上死点より降下する針１１ａ、１１ｂが上ルーパ７の上ルーパ糸を掬って布を貫通した後に上ルーパ７が降下しながら上ルーパ７に掛け留められた下ルーパ糸が抜けて外れた後に下ルーパ８は後退しながら掛け留めていた針糸が下ルーパ８より抜けて外れることにより縁かがり縫目を形成する。
【００３８】
また、係合爪３８を使用して、上ルーパ７に上ルーパ糸を糸通しすることなく下ルーパ糸を掬って上昇し、針に絡げることによって別の縫目（２本糸縁かがり縫）を縫製するときには、係合爪３８の先端カギ４５を上ルーパ７のルーパ剣先糸出口３５に嵌合すればよい。
【００３９】
なお、このような縁かがり縫目自体の形成手法は公知である（特許第３８７７８２９号公報）。
【００４０】
このように構成されたルーパ装置によれば、ルーパ装置の上ルーパ７は、ルーパ取付腕に上ルーパ取付軸に取付るためのピンのみを形成して薄く、小型の金属体で構成し、ルーパ取付腕とは別体でパイプを保持するためのパイプ保持プレートが着脱自在に取着した構成により、ルーパ取付腕自体が簡素化構造とされ、かつルーパ取付腕自体がその体積を減少できるため、上ルーパ全体の重量の軽量化が図られ、上ルーパの楕円運動における慣性モーメントを低減して上ルーパ駆動部（上ルーパ駆動傾斜カムおよび上ルーパ駆動二又に取り付けられたカムフォロアであるローラ）にかかる負荷を低減できるので、上ルーパ駆動部の耐久性を向上させるとともに、上ルーパの高速楕円運動が軽便、円滑に行なわれることから理想的で美麗な縫目を形成することができる。
【００４１】
また、ルーパ駆動部へ連結するためのピンのみを形成し、ルーパ溝が形成されるルーパ取付腕をもつ上ルーパ装置の製造にあたっては、その構成が上ルーパ、ルーパ取付腕及びピンのみという一体的な構造に簡素化されるので、鍛造で容易に製造できる。したがって、上ルーパの製造が鍛造工程だけの作業で実行できるので製造コストを低減でき生産性が高くなる。
【産業上の利用可能性】
【００４２】
本考案におけるミシンのルーパ装置は、ルーパに加圧気体を利用して自動的に糸通しする縁かがりミシンに好適に適用可能である。
【符号の説明】
【００４３】
７・・・上ルーパ
１４・・・ルーパ駆動部
２９・・・パイプ
３０・・・ルーパ取付腕
３４・・・ルーパ糸入口
３５・・・ルーパ剣先糸出口
３７・・・パイプ保持プレート
【図１】
0003165785.tif 000003
【図２】
0003165785.tif 000004
【図３】
0003165785.tif 000005
【図４】
0003165785.tif 000006
【図５】
0003165785.tif 000007
【図６】
0003165785.tif 000008
【図７】
0003165785.tif 000009